(57)【要約】【課題】基地局が、ユーザ装置における干渉低減効果に応じて、所望信号の変調符号化方式を決定することを可能とする技術を提供することを目的とする。【解決手段】ユーザ装置と基地局を備える無線通信システムにおいて使用される前記基地局において、前記ユーザ装置に対する干渉信号の制御情報を取得する制御情報取得部と、前記ユーザ装置から受信した受信品質を、前記制御情報に基づいて補正する補正部と、前記補正部により補正された前記受信品質に基づいて、前記ユーザ装置に送信する所望信号の変調符号化方式を決定する決定部とを備える。【選択図】図５
2015220618.tif 000002
【特許請求の範囲】
【請求項１】
ユーザ装置と基地局を備える無線通信システムにおいて使用される前記基地局であって、
前記ユーザ装置に対する干渉信号の制御情報を取得する制御情報取得部と、
前記ユーザ装置から受信した受信品質を、前記制御情報に基づいて補正する補正部と、
前記補正部により補正された前記受信品質に基づいて、前記ユーザ装置に送信する所望信号の変調符号化方式を決定する決定部と
を備えることを特徴とする基地局。
【請求項２】
前記補正部は、前記制御情報として、前記干渉信号に適用された変調方式を用い、当該変調方式に基づいて前記受信品質を補正する
ことを特徴とする請求項１に記載の基地局。
【請求項３】
前記補正部は、前記制御情報として、前記干渉信号に適用された変調符号化方式を用い、当該変調符号化方式に基づいて前記受信品質を補正する
ことを特徴とする請求項１に記載の基地局。
【請求項４】
前記補正部は、前記制御情報に基づいて、前記ユーザ装置における受信器型を推定し、当該受信器型に基づいて前記受信品質を補正する
ことを特徴とする請求項１に記載の基地局。
【請求項５】
前記補正部は、前記ユーザ装置において前記受信品質が得られたタイミングでの干渉信号の制御情報と、前記所望信号を送信するタイミングでの干渉信号の制御情報とを比較し、比較結果に基づいて前記受信品質を補正する
ことを特徴とする請求項１ないし４のうちいずれか１項に記載の基地局。
【請求項６】
前記受信品質は、ＣＱＩ又はＣＱＩから変換されたＳＩＮＲであることを特徴とする請求項１ないし５のうちいずれか１項に記載の基地局。
【請求項７】
前記補正部は、前記制御情報に基づく前記受信品質の補正に加えて、前記ユーザ装置から受信する受信結果通知信号に基づく前記受信品質の補正を行う
ことを特徴とする請求項１ないし６のうちいずれか１項に記載の基地局。
【請求項８】
前記ユーザ装置は、受信信号から干渉信号を低減させることにより、所望信号を取得する干渉低減処理部を備え、前記補正部は、
前記制御情報に基づき、前記所望信号を受信する際の前記干渉低減処理部における干渉低減効果が前記受信品質の算出時における干渉低減効果よりも高くなると判断される場合に、前記受信品質を高くするように補正を行い、
前記制御情報に基づき、前記所望信号を受信する際の前記干渉低減処理部における干渉低減効果が前記受信品質の算出時における干渉低減効果よりも低くなると判断される場合に、前記受信品質を低くするように補正を行う
ことを特徴とする請求項１ないし７のうちいずれか１項に記載の基地局。
【請求項９】
ユーザ装置と基地局を備える無線通信システムにおいて使用される前記基地局が実行する変調符号化方式決定方法であって、
前記ユーザ装置に対する干渉信号の制御情報を取得する制御情報取得ステップと、
前記ユーザ装置から受信した受信品質を、前記制御情報に基づいて補正する補正ステップと、
前記補正ステップにより補正された前記受信品質に基づいて、前記ユーザ装置に送信する所望信号の変調符号化方式を決定する決定ステップと
を備えることを特徴とする変調符号化方式決定方法。
【発明の詳細な説明】
【技術分野】
【０００１】
本発明は、無線通信システムにおける基地局において、干渉低減能力を有するユーザ装置に送信する信号に適用する変調符号化方式を決定するための技術に関連するものである。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）におけるＬＴＥ（Ｌｏｎｇ  Ｔｅｒｍ  Ｅｖｏｌｕｔｉｏｎ）Ａｄｖａｎｃｅｄでは、ＭＵ−ＭＩＭＯ（ｍｕｌｔｉ−ｕｓｅｒ  ｍｕｌｔｉｐｌｅ−ｉｎｐｕｔ  ｍｕｌｔｉｐｌｅ−ｏｕｔｐｕｔ）を用いたＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）が提案されている。ＭＵ−ＭＩＭＯの下りリンク送信においては、１つの基地局が複数のユーザ装置と通信するだけでなく、１つのユーザ装置に異なるデータストリーム（レイヤ）を同時に送信することが可能である。
【０００３】
また、ＬＴＥ−Ａｄｖａｎｃｅｄでは、下りリンク通信に関して、接続基地局からの所望電波ビームに対する干渉基地局からの干渉電波ビームの干渉、及び接続基地局における他ユーザ向け信号による干渉を、ユーザ装置において低減（例：抑圧、除去）するための種々の技術が検討されている。
【０００４】
このような干渉を低減する技術では、例えば、図１に示すように、ユーザ装置１０が接続セル（接続基地局１のセル、ｓｅｒｖｉｎｇ  ｃｅｌｌ）の境界付近に所在して、接続基地局１の隣の他の基地局２（干渉基地局）から干渉電波ビームを強く受ける場合に、ユーザ装置１０が干渉低減処理を行うことにより、所望電波ビームに載せられた所望信号の受信品質を向上させることができる。図１において干渉基地局２で生成されたビーム、すなわち他のユーザ装置（例えばユーザ装置１１）への下りチャネルのためのビームの一部がユーザ装置１０にとって干渉信号になる。なお、図１は、干渉セルからの干渉を特に示した図である。
【先行技術文献】
【非特許文献】
【０００５】
【非特許文献１】Axnas J. et. al.,"Successive Interference Cancellation Techniques for LTE Downlink," PIMRC 2011.
【発明の概要】
【発明が解決しようとする課題】
【０００６】
＜干渉低減技術について＞
干渉信号と所望信号を含む受信信号から、所望信号を分離し、取得するための技術の１つとして、干渉抑圧合成（ＩＲＣ：Ｉｎｔｅｒｆｅｒｅｎｃｅ  Ｒｅｊｅｃｔｉｏｎ  Ｃｏｍｂｉｎｉｎｇ）と呼ばれる技術がある。干渉抑圧合成（ＩＲＣ）は、下りリンク通信に関して、接続基地局からの所望電波ビームに対する干渉基地局からの干渉電波ビームの干渉、及び接続基地局における他ユーザ向け信号による干渉を、ユーザ装置で抑圧するように、ユーザ装置において各受信アンテナで得られる信号に重み付け（受信ウェイト）を与える技術である。例えば、図１に示した場合では、ユーザ装置１０が、接続基地局１からの所望信号にビームを向け、干渉基地局２からの干渉信号にヌルを向ける指向性制御（ウェイト制御）を行うことで干渉抑圧を行う。ＩＲＣでは、例えば、接続セルからの参照信号から推定される雑音干渉成分の共分散行列（統計量）を用いて受信ウェイトを計算する。
【０００７】
ＩＲＣの他、干渉信号と所望信号を含む受信信号から、所望信号を分離するための技術として逐次干渉キャンセル（ＳＩＣ：  Ｓｕｃｃｅｓｓｉｖｅ  Ｉｎｔｅｒｆｅｒｅｎｃｅ  Ｃａｎｃｅｌｌａｔｉｏｎ）の技術がある（例えば非特許文献１参照）。
【０００８】
逐次干渉キャンセルは、受信信号から干渉信号の硬判定もしくは軟判定によるレプリカ信号を作成し、受信信号からレプリカ信号を逐次的に減算（除去）することにより、所望信号を抽出する技術である。ＳＩＣでは、複数の干渉信号毎に、干渉信号のチャネル推定を行い、当該チャネル推定に基づき干渉信号の復調を行って、干渉信号のレプリカを作成し、逐次受信信号から減算する。
【０００９】
更に、干渉低減を行う技術の他の例として、最尤（ＭＬ：Ｍａｘｉｍｕｍ  Ｌｉｋｅｌｉｈｏｏｄ）推定技術がある。最尤推定では、ユーザ装置における最尤判定検出器（ＭＬＤ：Ｍａｘｉｍｕｍ  Ｌｉｋｅｌｉｈｏｏｄ  Ｄｅｔｅｃｔｏｒ）が、所望信号と干渉信号に対してチャネル推定を行い、それらを同時に抽出（同時検出）する。同時検出を行うため、ＭＬＤは、所望信号と干渉信号の全ての信号点の組み合わせについて、その尤度を計算し、最も尤度が高い信号点の組を各基地局から送信された信号とする。最尤推定では、ある信号点の組から期待される受信信号と、実際の受信信号間のユークリッド距離を計算し、全ての信号点の組のうち、実際の受信信号から最も距離が近い(=最も尤度が高い)ものを送信信号とする。
【００１０】
本願において、ＩＲＣ、ＳＩＣ、ＭＬＤ等の干渉低減技術に係る受信器のタイプを「受信器型」と呼ぶことにする。ユーザ装置は、干渉低減機能を備える場合、ＩＲＣ、ＳＩＣ、ＭＬＤのいずれか１つを備えてもよいし、複数を備えてもよい。複数を備える場合、例えば、干渉信号のランクや変調方式に応じて、受信器型を切り替えることが可能である。
【００１１】
＜アウターループ制御について＞
ところで、ＬＴＥ等の無線通信システムにおいては、初回のＢＬＥＲ（Ｂｌｏｃｋ  Ｅｒｒｏｒ  Ｒａｔｅ）が所望値となるように、所望信号の変調符号化方式（ＭＣＳ：Ｍｏｄｕｌａｔｉｏｎ  ａｎｄ  Ｃｏｄｉｎｇ  Ｓｃｈｅｍｅ）を適応的に変化させるＯｕｔｅｒ  Ｌｏｏｐ  Ｌｉｎｋ  Ａｄａｐｔａｔｉｏｎ（ＯＬＬＡ）が行われる。
【００１２】
無線通信システムでは、ユーザ装置（ＵＥ）が、基地局（ｅＮＢ）から受信する参照信号に基づきＣＱＩ（Ｃｈａｎｎｅｌ  Ｑｕａｌｉｔｙ  Ｉｎｄｉｃａｔｏｒ）を算出し、算出したＣＱＩを基地局にフィードバックする動作を、定期的に（あるいは基地局からの指示に基づき）行っている。アウターループ制御では、基地局が、ユーザ装置からフィードバックされたＣＱＩと、各送信信号に対するＡＣＫ／ＮＡＣＫから、ＭＣＳ選択に用いるＳＩＮＲを補正している。
【００１３】
図２を参照してアウターループ制御の例を説明する。図２において、ユーザ装置がＣＱＩを基地局に送信すると、ステップ１において、基地局は、ＣＱＩをＳＩＮＲに変換し、ＳＩＮＲに基づきＭＣＳを選択し、当該ＭＣＳにより信号送信を行う。基地局は、ユーザ装置からＡＣＫを受信した場合、信号送信に使用したＭＣＳは適切であると判断でき、より効率的なＭＣＳを適用できる可能性があることから、ステップ２において、ＳＩＮＲをプラス補正し、プラス補正したＳＩＮＲに基づきより大きなインデックスのＭＣＳ（より高次の変調方式／より高い符号化率）を選択する。
【００１４】
次に、基地局はユーザ装置からＮＡＣＫを受信する。これは、ユーザ装置が基地局からの送信信号を適切に受信できていない（例：ＢＬＥＲが１０％以上）ことを意味するので、基地局は、ステップ３において、ＳＩＮＲをマイナス補正し、ＭＣＳを低下させる。ＭＣＳを低下させることで、ユーザ装置におけるエラー率を減少させることができる。
【００１５】
ＳＩＮＲの補正は、オフセットΔＳＩＮＲＯＬＬＡを用いることで、「補正後のＳＩＮＲ＝補正前のＳＩＮＲ−ΔＳＩＮＲＯＬＬＡ」として行われる。また、Δｕｐ、Δｄｏｗｎをそれぞれ定数とし、ＡＣＫ受信時には「ΔＳＩＮＲＯＬＬＡ＝ΔＳＩＮＲＯＬＬＡ−Δｄｏｗｎ」として、ＮＡＣＫ受信時には「ΔＳＩＮＲＯＬＬＡ＝ΔＳＩＮＲＯＬＬＡ＋Δｕｐ」としてオフセット値が更新される。
【００１６】
なお、ΔｄｏｗｎとΔｕｐとの関係は、所望ＢＬＥＲを用いて、例えば、「Δｄｏｗｎ＝Δｕｐ×（ＢＬＥＲ÷（１−ＢＬＥＲ））」と表すことができる。一例として、所望ＢＬＥＲが１０％の場合、Δｄｏｗｎ＝０．０４、Δｕｐ＝０．３６といった値をとり、ＮＡＣＫの場合にオフセット値が大きく増加（ＳＩＮＲが大きく減少）することがわかる。
【００１７】
ＯＬＬＡにおいて、ＳＩＮＲを補正するのではなく、ＣＱＩを補正することとしてもよい。つまり、基地局は、フィードバックされたＣＱＩを上記と同じように補正し、補正したＣＱＩをＳＩＮＲに変換し、当該ＳＩＮＲに基づきＭＣＳを選択する。なお、ＣＱＩインデックスは通常整数だが、補正により小数点以下の値を持つようになる。
【００１８】
＜干渉低減処理とＯＬＬＡに関する課題について＞
前述した受信器型のうち、ＳＩＣ（及びＭＬＤ）の性能は干渉信号の変調方式やＭＣＳに大きく依存する。
【００１９】
例えば、干渉信号をシンボルレベルで復調するシンボルレベルＳＩＣを想定すると、干渉信号が低次の変調方式（例：ＱＰＳＫ）であるほど干渉キャンセル効果（干渉低減効果）が高まるが、高次（例：１６ＱＡＭ，  ６４ＱＡＭ）となるほど効果は減少する。また、符号語レベルでキャンセルするコードワードレベルＳＩＣ（ターボＳＩＣ）に関しては、干渉キャンセル効果は、干渉信号の変調方式だけでなく符号化率にも依存する。
【００２０】
このことから、例えば、ユーザ装置がＣＱＩを計算する際に受信した干渉信号の変調方式／ＭＣＳと、基地局がＭＣＳを選択して信号送信を行う際の干渉信号（ユーザ装置が信号受信を行う際に干渉となる干渉信号）の変調方式／ＭＣＳとが異なる場合、不適切なＭＣＳが選択される可能性がある。
【００２１】
上記の点を図３を参照して説明する。図３では、左から右に時間が進行するものとする。まず、ユーザ装置１０（受信器型はＳＩＣ）が、接続基地局１からの所望信号と、干渉基地局２からの干渉信号（変調方式はＱＰＳＫ）を受信する。干渉信号の変調方式がＱＰＳＫ（低次）であるため、干渉キャンセル効果が高く、ユーザ装置１０は高い値のＣＱＩを接続基地局１にフィードバックすることが想定される。接続基地局１は、当該ＣＱＩに基づき、次の送信信号のＭＣＳを選択するが、ＭＣＳも高い値になる。
【００２２】
次の送信信号に対して干渉となる干渉信号の変調方式は６４ＱＡＭであるとする。ユーザ装置１０は、高いＭＣＳで変調符号化された所望信号と干渉信号（６４ＱＡＭ）を受信するが、干渉キャンセル効果が低い上、所望信号が高いＭＣＳで変調符号化されているため、所望信号をうまく復号できず、ＮＡＣＫを返す。つまり、この場合、接続基地局１０は、干渉キャンセル効果が低いことを勘案してＭＣＳを決めることができず、結果として、高すぎるＭＣＳを選択してしまったのである。
【００２３】
なお、上記の不適切なＭＣＳの選択は、接続基地局１において空間多重送信を行う場合にも生じうる。具体的には、空間多重送信を行う際には、送信ストリーム毎に個別にＣＱＩのフィードバック及びＯＬＬＡを適用することが想定される。よって、受信器がストリーム間干渉を干渉キャンセラを用いてキャンセルできる場合、上記と同様の不適切なＭＣＳの選択が生じる可能性がある。
【００２４】
本発明は上記の点に鑑みてなされたものであり、基地局が、ユーザ装置における干渉低減効果に応じて、所望信号の変調符号化方式を決定することを可能とする技術を提供することを目的とする。
【課題を解決するための手段】
【００２５】
本発明の実施の形態によれば、ユーザ装置と基地局を備える無線通信システムにおいて使用される前記基地局であって、
前記ユーザ装置に対する干渉信号の制御情報を取得する制御情報取得部と、
前記ユーザ装置から受信した受信品質を、前記制御情報に基づいて補正する補正部と、
前記補正部により補正された前記受信品質に基づいて、前記ユーザ装置に送信する所望信号の変調符号化方式を決定する決定部とを備える基地局が提供される。
【００２６】
また、本発明の実施の形態によれば、ユーザ装置と基地局を備える無線通信システムにおいて使用される前記基地局が実行する変調符号化方式決定方法であって、
前記ユーザ装置に対する干渉信号の制御情報を取得する制御情報取得ステップと、
前記ユーザ装置から受信した受信品質を、前記制御情報に基づいて補正する補正ステップと、
前記補正ステップにより補正された前記受信品質に基づいて、前記ユーザ装置に送信する所望信号の変調符号化方式を決定する決定ステップとを備える変調符号化方式決定方法が提供される。
【発明の効果】
【００２７】
本発明の実施の形態によれば、基地局が、ユーザ装置における干渉低減効果に応じて、所望信号の変調符号化方式を決定することができる。
【図面の簡単な説明】
【００２８】
【図１】干渉セルからの干渉の低減を説明するための図である。
【図２】アウターループ制御の例を説明するための図である。
【図３】干渉信号の変調方式の変化により、不適切なＭＣＳが選択される場合の例を説明するための図である。
【図４】本発明の実施の形態に係る無線通信システムの概要構成図である。
【図５】本発明の第１の実施の形態における処理内容を説明するための図である。
【図６】干渉信号のＭＣＳを利用するタイミングを説明するための図である。
【図７】干渉信号の変調方式に応じたＳＩＮＲ補正パラメータの構成例１を示す図である。
【図８】干渉信号の変調方式に応じたＳＩＮＲ補正パラメータの構成例２を示す図である。
【図９】干渉信号の変調方式に応じたＳＩＮＲ補正パラメータの構成例３を示す図である。
【図１０】干渉信号のＭＣＳに応じたＳＩＮＲ補正パラメータの構成例を示す図である。
【図１１】本発明の第２の実施の形態における処理内容を説明するための図である。
【図１２】ユーザ装置の受信器型に応じたＳＩＮＲ補正パラメータの構成例１を示す図である。
【図１３】ユーザ装置の受信器型に応じたＳＩＮＲ補正パラメータの構成例２を示す図である。
【図１４】本発明の実施の形態におけるシステム構成例を示すブロック図である。
【図１５】本発明の実施の形態におけるシステムの動作例を示すシーケンス図である。
【発明を実施するための形態】
【００２９】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、干渉信号として接続基地局に隣接する干渉基地局から到来するものを説明するが、接続基地局が空間多重送信を行う際に生じる送信ストリーム間の干渉信号についても本発明を適用することができる。
【００３０】
（システム構成例）
図４に、本発明の実施の形態（第１、第２の実施の形態に共通）に係る無線通信システムの概要構成図を示す。本実施の形態に係る無線通信システムは、ＬＴＥのＲｅｌ−１２（又はＲｅｌ−１２以降のＲｅｌ）の無線通信システムであり、基地局２００（ｅＮｏｄｅＢ）（接続基地局）が接続セルを形成し、セル内のユーザ装置１００（ＵＥ）が接続基地局２００と所望信号による通信を行う。本実施の形態の無線通信システムは、少なくともＬＴＥのＲｅｌ−１２で規定されている機能を含む。ただし、本発明はＬＴＥのＲｅｌ−１２の方式に限定されるわけではなく、ＬＴＥのＲｅｌ−１２より前の世代のＬＴＥの無線通信システム、ＬＴＥのＲｅｌ−１２より先の世代の無線通信システム、及びＬＴＥ／ＬＴＥ−Ａｄｖａｎｃｅｄ以外の方式にも適用可能である。
【００３１】
通常、無線通信システムには、多くの基地局が備えられるが、図４には、接続基地局２００と、これに隣接する基地局３００のみが示されている。この隣接する基地局３００もセルを形成し、当該基地局３００を接続基地局とするユーザ装置１１０と信号の送受信を行う。この隣接する基地局３００から当該基地局３００を接続基地局とするユーザ装置１１０に対して送信される信号は、ユーザ装置１００にとって干渉信号となる。従って、本実施の形態では、当該隣接する基地局３００を干渉基地局と呼ぶ。また、干渉基地局３００におけるセルを干渉セルと呼ぶ。接続基地局に対する干渉基地局は複数であるのが一般的であるが、図４では１つのみの干渉基地局を示している。
【００３２】
本実施の形態では、基地局間（接続基地局２００と干渉基地局３００間）が光ファイバー等の低遅延のリンクで接続され（Ｉｄｅａｌ  ｂａｃｋｈａｕｌ）、かつ互いに接続ＵＥの変調方式やＭＣＳ、ランク等の制御情報を共有できることを前提としている。ただし、本発明は、この前提に限定されるわけではない。
【００３３】
本実施の形態では、ＡＣＫ／ＮＡＣＫに基づくＯＬＬＡに加えて、接続基地局２００が干渉基地局３００から干渉信号の制御情報を受信し、当該制御情報に基づいてＳＩＮＲ補正を行って、補正したＳＩＮＲに基づいてＭＣＳを選択することとしている。
【００３４】
ここで、本実施の形態において、ＩＲＣは干渉信号の変調方式やＭＣＳの影響を受けないため、ユーザ装置がＩＲＣのみを搭載している場合、前述したような問題は生じない。よって、本実施の形態では、そのようなユーザ装置に対しては、基地局側では従来通りの処理を適用するため、常に本実施の形態に係る干渉低減に関するＳＩＮＲの補正値（ΔＳＩＮＲ）は０として処理することとする。
【００３５】
つまり、本実施の形態によるＳＩＮＲ補正は、ＳＩＣやＭＬＤといった干渉信号の変調方式／ＭＣＳに影響を受ける受信器を搭載したユーザ装置を対象としている。
【００３６】
ユーザ装置がどのような受信器（例：ＩＲＣ，ＳＩＣ）を搭載しているかは、Ｃａｐａｂｉｌｉｔｙのシグナリングにより基地局側で既知であるとする。
【００３７】
以下、干渉信号の変調方式／ＭＣＳ（変調方式又はＭＣＳの意味）に基づいてＳＩＮＲを補正する第１の実施の形態、及び、干渉信号のランク等の制御情報により推定されるユーザ装置１００の受信器型に基づいてＳＩＮＲを補正する第２の実施の形態について説明する。
【００３８】
なお、第１、第２の実施の形態において、変調方式／ＭＣＳ、受信器型等に基づく補正は、ＣＱＩから変換されたＳＩＮＲに対して行っているが、これは例であり、補正をＣＱＩに対して行うこととしてもよい。つまり、この場合、ΔＳＩＮＲと同様の補正値ΔＣＱＩが算出され、ＣＱＩ算出時のＣＱＩに対して補正が行われ、補正後ＣＱＩに基づきＭＣＳが選択される。
【００３９】
（第１の実施の形態）
第１の実施の形態では、接続基地局２００において、所望信号が送信されるタイミング（「タイミング」をサブフレームと言い換えてもよい）と同じタイミングの干渉信号の変調方式／ＭＣＳを用いて、当該所望信号の送信のためのＭＣＳ選択におけるＳＩＮＲ補正を行うことを基本とする。所望信号が送信されるタイミングと同じタイミングの干渉信号を考慮するのは、ユーザ装置１００において、当該干渉信号が当該所望信号の干渉となるからである。
【００４０】
ただし、現実的には、接続基地局２００が干渉信号の変調方式／ＭＣＳ等を干渉基地局３００から受け取る場合、遅延が生じるため、当該遅延を考慮して、所望信号が送信されるタイミングよりも前のタイミングの干渉信号の情報（例：数サブフレーム前の情報）を、所望信号と同じタイミングの干渉信号の情報とみなして用いることとしてよい。所望信号が送信されるタイミングよりも前のタイミングとは、ユーザ装置１００がＣＱＩを算出したタイミング（≒ＣＱＩを受信したタイミング）より後で、所望信号が送信されるタイミングまでの任意のタイミング（サブフレーム）であってよいが、所望信号が送信されるタイミングに近いほど好ましい。
【００４１】
図５を参照して第１の実施の形態における処理内容（概要）を説明する。なお、図５の例では、図２で説明したＡＣＫ／ＮＡＣＫに基づくＳＩＮＲ補正とともに、干渉信号の変調方式／ＭＣＳに基づくＳＩＮＲ補正が行われているが、図５では、特に干渉信号の変調方式／ＭＣＳに基づくＳＩＮＲ補正に着目している。
【００４２】
図５に示すように、接続基地局２００は干渉基地局３００から例えば定期的（例：サブフレーム毎）に干渉信号の制御情報（ＭＣＳ、ランク等）を受信している。
【００４３】
接続基地局２００は、ユーザ装置１００からＣＱＩを受信すると、ステップ１１において、ＣＱＩをＳＩＮＲに変換するとともに、干渉信号の変調方式／ＭＣＳに応じてＳＩＮＲを補正し、補正したＳＩＮＲに基づきＭＣＳを選択し、選択したＭＣＳで所望信号を送信する。
【００４４】
ステップ１２では、ＡＣＫ／ＮＡＣＫに基づくＳＩＮＲ補正とともに、干渉信号の変調方式／ＭＣＳに基づくＳＩＮＲ補正を行い、補正したＳＩＮＲに基づきＭＣＳを選択し、選択したＭＣＳで所望信号を送信する。ステップ１３でもステップ１２と同様の処理が行われる。
【００４５】
ＳＩＮＲ補正の具体的方法については後述する。ＳＩＮＲ補正において、干渉信号の変調方式を用いるか、それとも干渉信号のＭＣＳを用いるかについて、例えば、シンボルレベルＳＩＣに対しては変調方式を用い、コードワードレベルＳＩＣについてはＭＣＳを用いることとしてよい。ただし、いずれも変調方式に影響されるので、両方とも変調方式を用いることとしてもよい。また、ＭＣＳは変調方式の情報を含むので、両方ともＭＣＳを用いることとしてもよい。変調方式は、ＭＣＳから取得可能である。
【００４６】
図６を参照して、ＳＩＮＲの補正に用いる干渉信号のＭＣＳ（変調方式、受信器型判別のためのランクも同様）のタイミング（サブフレーム）の例を説明する。図６は、例として、接続基地局２００と干渉基地局３００が同期している場合を示している。
【００４７】
図６（ａ）の例は、所望信号のタイミングと同じタイミングの干渉信号のＭＣＳを、当該所望信号送信のためのＭＣＳ選択にあたってのＳＩＮＲ補正に用いる例である。例えば、接続基地局２００において干渉基地局３００におけるＵＥ毎のＭＣＳをリアルタイムに推定する仕組みがあれば図６（ａ）を実現できるが、そのような仕組みがない場合は、接続基地局２００は、干渉基地局３００から受信するＭＣＳを用いることになる。このような場合、前述したように、遅延が生じ、例えば図６（ｂ）に示すように、所望信号のＭＣＳ選択用のＳＩＮＲの補正を、数サブフレーム前の干渉信号のＭＣＳを使用して行うことになる。当該数サブフレーム前の干渉信号のＭＣＳ（制御情報）は、所望信号を送信するタイミングでの干渉信号のＭＣＳ（制御情報）の例である。
【００４８】
次に、接続基地局２００において行われる、干渉信号の変調方式／ＭＣＳに応じたＳＩＮＲの補正方法の具体例１−１、１−２を説明する。
【００４９】
＜具体例１−１＞
具体例１−１では、以下の式１に示すように、ΔＳＩＮＲを用いて、干渉信号の変調方式毎にＳＩＮＲを補正する。
【００５０】
ＳＩＮＲ＝ＳＩＮＲ−ΔＳＩＮＲＯＬＬＡ−ΔＳＩＮＲ    式１
ΔＳＩＮＲ∈｛ΔＳＩＮＲＱＰＳＫ，ΔＳＩＮＲ１６ＱＡＭ，ΔＳＩＮＲ６４ＱＡＭ｝  式２
式２に示すように、変調方式毎にΔＳＩＮＲが定められており、接続基地局２００は、干渉信号の変調方式に対応するΔＳＩＮＲを用いてＳＩＮＲ補正を行う。なお、干渉信号の変調方式が低次から高次になるほど、干渉キャンセル効果は低減するから、所望信号のＭＣＳを低くすることが望ましい。そのため、本実施の形態では、「ΔＳＩＮＲＱＰＳＫ＜ΔＳＩＮＲ１６ＱＡＭ＜ΔＳＩＮＲ６４ＱＡＭ」という関係が成り立つ。また、例えば、ユーザ装置１００に適用される変調方式は通常１６ＱＡＭであるが、たまにＱＰＳＫや６４ＱＡＭが適用されるといったことが推定できる場合、ΔＳＩＮＲ１６ＱＡＭを０とし、ΔＳＩＮＲＱＰＳＫを負の値とし、ΔＳＩＮＲ６４ＱＡＭを正の値とすることが考えられる。
【００５１】
＜具体例１−２＞
具体例１−２では、ユーザ装置１００がＣＱＩを算出するタイミング（≒接続基地局２００がＣＱＩを受信するタイミング）での干渉信号の変調方式と、ＭＣＳ選択の対象とする所望信号に対応する干渉信号（前述したように、所望信号の前のタイミングの干渉信号でもよい）の変調方式とを比較して、補正を行う。ユーザ装置１００がＣＱＩを算出するタイミングでの干渉信号とは、ＣＱＩの算出において考慮された干渉信号であることを意図しているが、少しのずれは許容できる。以下、ＭＣＳ選択の対象とする所望信号に対応する干渉信号をターゲットの干渉信号と呼ぶ。
【００５２】
具体例１−２では、ターゲットの干渉信号の変調方式が、ＣＱＩ算出時の干渉信号の変調方式よりも高次である場合と、低次である場合とに分けて説明する。
【００５３】
変調方式が高次である場合は、以下の式３に示すように、ΔＳＩＮＲｕｐを用いて、ＳＩＮＲを補正する。
【００５４】
ＳＩＮＲ＝ＳＩＮＲ−ΔＳＩＮＲＯＬＬＡ−ΔＳＩＮＲｕｐ    式３
ΔＳＩＮＲｕｐ∈｛０，ΔＳＩＮＲｕｐ，１，...．，ΔＳＩＮＲｕｐ，ｋ｝  式４
式４に示すように、ΔＳＩＮＲｕｐは、変調方式の差分に応じて、０，ΔＳＩＮＲｕｐ，１，...．，ΔＳＩＮＲｕｐ，ｋのうちの１つの値が選択される。
【００５５】
変調方式が低次である場合は、以下の式５に示すように、ΔＳＩＮＲｄｏｗｎを用いて、ＳＩＮＲを補正する。
【００５６】
ＳＩＮＲ＝ＳＩＮＲ−ΔＳＩＮＲＯＬＬＡ＋ΔＳＩＮＲｄｏｗｎ    式５
ΔＳＩＮＲｄｏｗｎ∈｛０，ΔＳＩＮＲｄｏｗｎ，１，...．，ΔＳＩＮＲｄｏｗｎ，ｋ｝  式６
式６に示すように、ΔＳＩＮＲｄｏｗｎは、変調方式の差分に応じて、０，ΔＳＩＮＲｄｏｗｎ，１，...．，ΔＳＩＮＲｄｏｗｎ，ｋのうちの１つの値が選択される。
【００５７】
具体例１−２におけるΔＳＩＮＲｕｐ、ΔＳＩＮＲｄｏｗｎについて、例えば図７に示すように、ＣＱＩ算出時の干渉信号の変調方式とターゲットの干渉信号の変調方式との組み合わせに応じた値を予め定めておき、テーブル情報として接続基地局２００が記憶手段に保持しておく。そして、接続基地局２００は、干渉基地局３００から受信する制御情報から、ＣＱＩ算出時の干渉信号の変調方式とターゲットの干渉信号の変調方式を取得し、当該組み合わせに対応するΔＳＩＮＲｕｐ／ΔＳＩＮＲｄｏｗｎをテーブルから取得して、ＳＩＮＲ補正を実施する。
【００５８】
図７に示すＳＩＮＲ補正パラメータの構成例１では、ＱＰＳＫ、１６ＱＡＭ、６４ＱＡＭから２つ選ぶ全ての順列についてそれぞれΔＳＩＮＲｕｐ／ΔＳＩＮＲｄｏｗｎを定めている。
【００５９】
図８に、ＳＩＮＲ補正パラメータの構成例２を示す。構成例２では、同じ組み合わせ（例：ＱＰＳＫ−１６ＱＡＭと１６ＱＡＭ−ＯＰＳＫ）についてΔＳＩＮＲｕｐとΔＳＩＮＲｄｏｗｎを同じ値としている。図９に、ＳＩＮＲ補正パラメータの構成例３を示す。構成例３では、ΔＳＩＮＲｕｐ／ΔＳＩＮＲｄｏｗｎの数が少なくなるようにパラメータを定めている。
【００６０】
具体例１−２における式３〜６を使用して、ユーザ装置１００がＣＱＩを算出するタイミングでの干渉信号のＭＣＳと、ＭＣＳ選択の対象とする所望信号に対応する干渉信号のＭＣＳとを比較して、補正を行うこととしてもよい。
【００６１】
その場合のＳＩＮＲ補正パラメータの例を図１０に示す。図１０では、ターゲットの干渉信号のＭＣＳからＣＱＩ算出時の干渉信号のＭＣＳを引いた値（差分Ｄ）に応じて、ΔＳＩＮＲｕｐ／ΔＳＩＮＲｄｏｗｎが定められている。図１０において、αは定数（自然数）である。
【００６２】
（第２の実施の形態）
次に、本発明の第２の実施の形態を説明する。第２の実施の形態では、接続基地局２００において、所望信号が送信されるタイミング（サブフレーム）と同じタイミングでのユーザ装置１００の受信器型を用いて、当該所望信号の送信のためのＭＣＳ選択におけるＳＩＮＲ補正を行うことを基本とする。
【００６３】
接続基地局２００は、ユーザ装置１００の受信器型を、例えば干渉基地局３００から受信する制御情報から推定する。例えば、接続基地局２００は、ユーザ装置１００の受信器型を干渉信号のランクに基づき推定する。ただし、この場合は、ユーザ装置１００は、干渉信号のランクを推定又は接続基地局２００から取得し、当該ランクに基づき受信器型を決定しているものとする。例えば、ユーザ装置１００がＩＲＣとＳＩＣを有する場合、ランクが高い（例：２以上）場合はＩＲＣを選択し、ランクが１の場合はＳＩＣを選択する。
【００６４】
第１の実施の形態と同様に、接続基地局２００が干渉信号の制御情報を干渉基地局３００から受け取る場合、遅延が生じるため、当該遅延を考慮して、所望信号が送信されるタイミングよりも前のタイミングの干渉信号の情報（例：数サブフレーム前の情報）を、同じタイミングの干渉信号の情報とみなして用いることとしている。
【００６５】
図１１を参照して第２の実施の形態における処理内容（概要）を説明する。図１１の例でも、図５の例と同様に、図２で説明したＡＣＫ／ＮＡＣＫに基づくＳＩＮＲ補正とともに、受信器型に基づくＳＩＮＲ補正が行われているが、図１１では、特に受信器型に基づくＳＩＮＲ補正に着目している。
【００６６】
図１１に示すように、接続基地局２００は干渉基地局３００から例えば定期的（例：サブフレーム毎）に干渉信号の制御情報（ＭＣＳ、ランク等）を受信している。
【００６７】
接続基地局２００は、ユーザ装置１００からＣＱＩを受信すると、ステップ２１において、ＣＱＩをＳＩＮＲに変換するとともに、ユーザ装置１００の受信器型を推定し、受信器型に応じてＳＩＮＲを補正し、補正したＳＩＮＲに基づきＭＣＳを選択し、選択したＭＣＳで所望信号を送信する。
【００６８】
ステップ２２では、ＡＣＫ／ＮＡＣＫに基づくＳＩＮＲ補正とともに、受信器型に基づくＳＩＮＲ補正を行い、補正したＳＩＮＲに基づきＭＣＳを選択し、選択したＭＣＳで所望信号を送信する。ステップ２３でもステップ２２と同様の処理が行われる。
【００６９】
次に、接続基地局２００において行われる、ユーザ装置１００の受信器型に応じたＳＩＮＲの補正方法の具体例２−１、２−２を説明する。
【００７０】
＜具体例２−１＞
具体例２−１では、以下の式７に示すように、ΔＳＩＮＲを用いて、受信器型毎にＳＩＮＲを補正する。
【００７１】
ＳＩＮＲ＝ＳＩＮＲ−ΔＳＩＮＲＯＬＬＡ−ΔＳＩＮＲ    式７
ΔＳＩＮＲ∈｛ΔＳＩＮＲＩＲＣ，ΔＳＩＮＲＳＩＣ｝  式８
本例では、ユーザ装置１００がＩＲＣとＳＩＣを備える場合を想定している。式８に示すように、受信器型毎にΔＳＩＮＲが定められており、接続基地局２００は、推定される受信器型毎に対応するΔＳＩＮＲを用いてＳＩＮＲ補正を行う。なお、受信器型がＩＲＣよりもＳＩＣのほうが、干渉低減効果が高いと考えられるから、本実施の形態では、「ΔＳＩＮＲＳＩＣ＜ΔＳＩＮＲＩＲＣ」という関係が成り立つ。
【００７２】
＜具体例２−２＞
具体例２−２では、ユーザ装置１００がＣＱＩを算出するタイミング（≒接続基地局２００がＣＱＩを受信するタイミング）での受信器型と、ＭＣＳ選択の対象とする所望信号送信のタイミングに対応する受信器型（前述したように、所望信号の前のタイミングの受信器型でもよい）とを比較して、補正を行う。以下、ＭＣＳ選択の対象とする所望信号に対応する受信器型をターゲットの受信器型と呼ぶ。
【００７３】
具体例２−２では、ターゲットの受信器型が、ＣＱＩ算出時の受信器型よりも復調性能（干渉低減効果）が高い場合と、低い場合とに分けて説明する。
【００７４】
復調性能が高い場合は、以下の式９に示すように、ΔＳＩＮＲｕｐを用いて、ＳＩＮＲを補正する。
【００７５】
ＳＩＮＲ＝ＳＩＮＲ−ΔＳＩＮＲＯＬＬＡ＋ΔＳＩＮＲｕｐ    式９
ΔＳＩＮＲｕｐ∈｛０，ΔＳＩＮＲｕｐ，１，...．，ΔＳＩＮＲｕｐ，ｋ｝  式１０
式１０に示すように、ΔＳＩＮＲｕｐは、復調性能の差に応じて、０，ΔＳＩＮＲｕｐ，１，...．，ΔＳＩＮＲｕｐ，ｋのうちの１つの値が選択される。
【００７６】
復調性能が低い場合は、以下の式１１に示すように、ΔＳＩＮＲｄｏｗｎを用いて、ＳＩＮＲを補正する。
【００７７】
ＳＩＮＲ＝ＳＩＮＲ−ΔＳＩＮＲＯＬＬＡ−ΔＳＩＮＲｄｏｗｎ    式１１
ΔＳＩＮＲｄｏｗｎ∈｛０，ΔＳＩＮＲｄｏｗｎ，１，...．，ΔＳＩＮＲｄｏｗｎ，ｋ｝  式１２
式１２に示すように、ΔＳＩＮＲｄｏｗｎは、復調性能の差に応じて、０，ΔＳＩＮＲｄｏｗｎ，１，...．，ΔＳＩＮＲｄｏｗｎ，ｋのうちの１つの値が選択される。
【００７８】
具体例２−２におけるΔＳＩＮＲｕｐ、ΔＳＩＮＲｄｏｗｎについてのＳＩＮＲ補正パラメータの構成例１を図１２に示す。図１２に示す例では、ＩＲＣ−＞ＳＩＣについてΔＳＩＮＲｕｐ，１が定められ、ＳＩＣ−＞ＩＲＣについてΔＳＩＮＲｄｏｗｎ，１が定められている。
【００７９】
具体例２−２におけるΔＳＩＮＲｕｐ、ΔＳＩＮＲｄｏｗｎについてのＳＩＮＲ補正パラメータの構成例２を図１３に示す。図１３に示す例では、ＩＲＣ−＞ＭＬＤについてΔＳＩＮＲｕｐ，１が定められ、ＭＬＤ−＞ＩＲＣについてΔＳＩＮＲｄｏｗｎ，１が定められている。
【００８０】
（第１、第２の実施の形態におけるシステム構成例、処理フロー例）
次に、本発明の実施の形態（第１、第２の実施の形態に共通）におけるシステム構成例、処理シーケンス例を説明する。図１４は、本発明の実施の形態に係るシステム構成例を示すブロック図である。図１４は、図４に示すシステム構成に対応しており、接続基地局２００、干渉基地局３００、ユーザ装置１００が示されている。
【００８１】
図１４に示すように、接続基地局２００は、ＣＳＩ受信部２０１、ＳＩＮＲ算出部２０２、ＳＩＮＲ補正値決定部２０３、送信制御情報決定部２０４、送信信号生成部２０５、有線Ｉ／Ｆ２０６、無線Ｉ／Ｆ２０７を備える。干渉基地局３００も同じ構成を備える。
【００８２】
ＣＳＩ受信部２０１は、ユーザ装置１００からフィードバックされたＣＳＩ（ＣＱＩを含む）を受け取る。ＳＩＮＲ算出部２０２は、ＣＱＩ及びＳＩＮＲ補正値に基づき、ユーザ装置１００のリソース割り当てや、ＭＣＳを決定するためのＳＩＮＲを算出する。ＳＩＮＲ補正値決定部２０３は、ＯＬＬＡに基づくＳＩＮＲ補正値に加えて、干渉基地局３００のＭＣＳや変調方式情報、またはランク情報等から、ＳＩＮＲの補正値を決定する。すなわち、ＳＩＮＲ補正値決定部２０３は、第１、第２の実施の形態で説明したように補正値の決定を行うことができる。
【００８３】
送信制御情報決定部２０４は、ＳＩＮＲ算出部２０２が算出したユーザ装置１００のＳＩＮＲに基づいて、割り当てのリソースやＭＣＳ、ランク等を決定する。送信信号生成部２０５は、送信する信号を生成する。有線Ｉ／Ｆ２０６は、他の基地局との間で、制御情報等を送受信するための有線のインターフェースであるが、これは無線インターフェースであってもよい。無線Ｉ／Ｆ２０７は、ユーザ装置１００と通信を行う無線インターフェースである。
【００８４】
なお、接続基地局２００が空間多重送信を行う際に生じる送信ストリーム間の干渉信号に関して、これまでに説明した方法でＳＩＮＲ補正を行う場合においては、接続基地局２００は、自身が決定した干渉信号（あるストリームに対して干渉となるストリームの信号）の変調方式／ＭＣＳ等を使用すればよい。
【００８５】
次に、ユーザ装置１００について説明する。図１４に示すとおり、ユーザ装置１００は、適用受信器判定部１０１、ＣＳＩ測定部１０２、ＳＩＣ処理部１０３、ＩＲＣ処理部１０４、無線Ｉ／Ｆ１０５を有する。なお、図１４は、受信器としてＳＩＣとＩＲＣを備える例を示しているが、これは一例であり、例えば、ＭＬＤとＩＲＣを備える構成であってもよい。
【００８６】
適用受信器判定部１０１は、受信した信号に対して適用する受信器を決定する。例えば、干渉信号のランクが１の場合のみＳＩＣを適用し、それ以外はＩＲＣを適用する。干渉信号のランクは、受信信号から推定してもよいし、接続基地局２００からＰＤＣＣＨ等により受信してもよい。ＣＳＩ測定部１０２は、所望信号に対する受信品質情報（ＣＳＩ）を測定する。ＳＩＣ処理部１０３はＳＩＣ受信処理を行い、ＩＲＣ処理部１０４はＩＲＣ受信処理を行う。無線Ｉ／Ｆ１０５は、基地局と通信を行う無線インターフェースである。
【００８７】
次に、図１５を参照して、図１４に示すシステムの動作例を説明する。ユーザ装置１００は、干渉基地局３００から干渉信号を受信し（ステップ１０１）、接続基地局２００から所望信号を受信し（ステップ１０２）、ＣＳＩ測定を行う（ステップ１０３）。
【００８８】
干渉基地局３００は接続基地局２００に対して干渉制御情報（ＭＣＳ、ランク等）を送信している（ステップ１０４）。ユーザ装置１００は、ＣＳＩ（ＣＱＩを含む）を接続基地局２００にフィードバックする（ステップ１０５）。
【００８９】
接続基地局２００において、ＳＩＮＲ補正値決定部２０３は、これまでに説明した方法を用いて、ＳＩＮＲ補正値を決定する（ステップ１０６）。ここでは、例えば、ステップ１０１、１０２のタイミングでの干渉信号の変調方式又はＭＣＳ、もしくは受信器型と、現在のタイミングでの干渉信号の変調方式又はＭＣＳ、もしくは受信器型とを比較することにより、ＳＩＮＲ補正値を決定する。
【００９０】
次に、ＳＩＮＲ算出部２０２は、ＣＱＩから算出されるＳＩＮＲとＳＩＮＲ補正値を用いてＳＩＮＲ値を決定し（ステップ１０７）、送信制御情報決定部２０４が、リソース割り当て、ＭＣＳ決定等を行う（ステップ１０８）。当該リソース割り当て及びＭＣＳに基づき、所望信号が送信される（ステップ１１０）。
【００９１】
ユーザ装置１００は、ステップ１０９、１１０で受信した干渉信号と所望信号を含む信号に対して、復調・復号処理を行い（ステップ１１１）、その結果に基づいて、ＡＣＫ／ＮＡＣＫ（受信結果通知信号）を接続基地局２００に返す（ステップ１１３）。接続基地局２００のＳＩＮＲ補正値決定部２０３は、干渉信号のＭＣＳ等に基づくＳＩＮＲ補正値決定を行う（ステップ１１４）とともに、ＡＣＫ／ＮＡＣＫに基づき、ＯＬＬＡのＳＩＮＲ補正値を決定する（ステップ１１５）。これらに基づきＳＩＮＲ値が決定される（ステップ１１６）。送信制御情報決定部２０４が、リソース割り当て、ＭＣＳ決定等を行い（ステップ１１７）。当該リソース割り当て及びＭＣＳに基づき、所望信号が送信される（ステップ１１９）。
【００９２】
なお、図１４に示す各装置の構成（機能区分）は一例に過ぎない。本実施の形態で説明する処理を実現できるのであれば、その実装方法（具体的な機能部の配置等）は、特定の実装方法に限定されない。例えば、本実施の形態のユーザ装置と基地局とは、下記のように構成することもできる。
【００９３】
すなわち、本実施の形態における基地局は、ユーザ装置と基地局を備える無線通信システムにおいて使用される前記基地局であって、前記ユーザ装置に対する干渉信号の制御情報を取得する制御情報取得部と、前記ユーザ装置から受信した受信品質を、前記制御情報に基づいて補正する補正部と、前記補正部により補正された前記受信品質に基づいて、前記ユーザ装置に送信する所望信号の変調符号化方式を決定する決定部とを備える基地局として構成される。この構成により、基地局は、ユーザ装置における干渉低減効果に応じて、所望信号の変調符号化方式を決定することが可能となる。なお、前記制御情報取得部は、例えば、前記干渉信号を送信する干渉基地局から前記制御情報を受信することにより、当該制御情報を取得する。
【００９４】
前記補正部は、前記制御情報として、例えば前記干渉信号に適用された変調方式を用い、当該変調方式に基づいて前記受信品質を補正することができる。また、前記補正部は、前記制御情報として、例えば前記干渉信号に適用された変調符号化方式を用い、当該変調符号化方式に基づいて前記受信品質を補正することができる。これらの構成のように、干渉信号の変調方式／ＭＣＳを用いることで、ユーザ装置における干渉低減効果を適切に推定でき、ユーザ装置における干渉低減効果に応じて、所望信号の変調符号化方式を決定することが可能となる。
【００９５】
前記補正部は、前記制御情報に基づいて、前記ユーザ装置における受信器型を推定し、当該受信器型に基づいて前記受信品質を補正することとしてもよい。この構成のように、受信器型を用いることでも、ユーザ装置における干渉低減効果を適切に推定でき、ユーザ装置における干渉低減効果に応じて、所望信号の変調符号化方式を決定することが可能となる。
【００９６】
前記補正部は、前記ユーザ装置において前記受信品質が得られたタイミングでの干渉信号の制御情報と、前記所望信号を送信するタイミングでの干渉信号の制御情報とを比較し、比較結果に基づいて前記受信品質を補正することとしてもよい。この構成のように比較結果を用いることで、干渉信号の制御情報の変化に対応して、所望信号の変調符号化方式を決定することが可能となる。
【００９７】
前記受信品質は、例えばＣＱＩ又はＣＱＩから変換されたＳＩＮＲである。受信品質としてＣＱＩ又はＣＱＩから変換されたＳＩＮＲを用いることとすることで、例えば、ＬＴＥの無線通信システムにおいて好適に本発明を適用することができる。
【００９８】
前記補正部は、前記制御情報に基づく前記受信品質の補正に加えて、前記ユーザ装置から受信する受信結果通知信号に基づく前記受信品質の補正を行うこととしてもよい。この構成により、アウターループ制御に加えて制御情報による補正を行うことで、より的確に所望信号の変調符号化方式を決定することが可能となる。
【００９９】
前記ユーザ装置は、受信信号から干渉信号を低減させることにより、所望信号を取得する干渉低減処理部を備え、前記補正部は、前記制御情報に基づき、前記所望信号を受信する際の前記干渉低減処理部における干渉低減効果が前記受信品質の算出時における干渉低減効果よりも高くなると判断される場合に、前記受信品質を高くするように補正を行い、前記制御情報に基づき、前記所望信号を受信する際の前記干渉低減処理部における干渉低減効果が前記受信品質の算出時における干渉低減効果よりも低くなると判断される場合に、前記受信品質を低くするように補正を行うように構成してもよい。この構成により、干渉低減効果に応じて、適切に受信品質を決定でき、結果として、所望信号の変調符号化方式を適切に決定することが可能となる。
【０１００】
本実施の形態で説明するユーザ装置１００の構成は、ＣＰＵとメモリを備えるユーザ装置１００において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１０１】
また、本実施の形態で説明する基地局２００の構成は、ＣＰＵとメモリを備える基地局２００において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在した構成であってもよい。
【０１０２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目（例）の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。ユーザ装置のプロセッサにより動作するソフトウェア及び基地局のプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【０１０３】
１００  ユーザ装置
１０１  適用受信器判定部
１０２  ＣＳＩ測定部
１０３  ＳＩＣ処理部
１０４  ＩＲＣ処理部
１０５  無線Ｉ／Ｆ
２００  接続基地局
２０１  ＣＳＩ受信部
２０２  ＳＩＮＲ算出部
２０３  ＳＩＮＲ補正値決定部
２０４  送信制御情報決定部
２０５  送信信号生成部
２０６  有線Ｉ／Ｆ
２０７  無線Ｉ／Ｆ
３００  干渉基地局
３０１  ＣＳＩ受信部
３０２  ＳＩＮＲ算出部
３０３  ＳＩＮＲ補正値決定部
３０４  送信制御情報決定部
３０５  送信信号生成部
３０６  有線Ｉ／Ｆ
３０７  無線Ｉ／Ｆ
【図１】
2015220618.tif 000003
【図２】
2015220618.tif 000004
【図３】
2015220618.tif 000005
【図４】
2015220618.tif 000006
【図５】
2015220618.tif 000007
【図６】
2015220618.tif 000008
【図７】
2015220618.tif 000009
【図８】
2015220618.tif 000010
【図９】
2015220618.tif 000011
【図１０】
2015220618.tif 000012
【図１１】
2015220618.tif 000013
【図１２】
2015220618.tif 000014
【図１３】
2015220618.tif 000015
【図１４】
2015220618.tif 000016
【図１５】
2015220618.tif 000017